(57)【要約】【課題】取り付けに係わる作業が簡便で、作業時に取り付けし損なう恐れのない防音パネルの落下防止装置及び防音パネルを提供する。【解決手段】防音パネル２０の前面から突設されたボルト１１に支持金具２を取り付けることで簡便な作業により形成することができ、また防音壁の前面にボルト１１が突設され、且つ支持金具２が支柱を跨いでいることで、支持金具２の取り付け忘れがあれば即座に視認でき、作業時に取り付けし損なう恐れをなくすることができる。【参照図】        図１【特許請求の範囲】
【請求項１】
道路や鉄道等の側縁に沿って複数の支柱を立設し、該支柱間に防音パネルを取り付けて形成された防音壁において、支柱を挟んで相隣る前記防音パネルの前面からそれぞれ突設させたボルトと、前記支柱を跨いで該ボルト間に該ボルトを用いて取り付けられた支持金具とを備えることを特徴とする防音パネルの落下防止装置。
【請求項２】
道路や鉄道等の側縁に沿って立設された複数の支柱間に取り付けられ、支柱を挟んで相隣る防音パネルであって、前面からそれぞれ突設させたボルトと、前記支柱を跨いで該ボルト間に該ボルトを用いて取り付けられた支持金具とを備えた落下防止装置を備えることを特徴とする防音パネル。
【発明の詳細な説明】
【技術分野】
【０００１】
本発明は、高速道路等に設けたパネルの落下防止を図るために、そのパネルに設けるパネル落下防止治具取付構造に関し、特に、既存の防音パネルに設けるのに好適な防音パネルの落下防止装置及び落下防止装置を備えた防音パネルに関するものである。
【背景技術】
【０００２】
従来、高速道路、鉄道等の側縁に設置される防音壁を構成する防音パネルには、車両から落下した積み荷の衝突や長期に亘る振動等により防音パネル本体が支柱から外れた場合に備え、落下防止機構が備えられるものであるが、一般には防音パネルの側面にアイボルトを取り付け、そのアイボルトに落下防止用索条を挿通し、支柱と固定する機構が用いられてきている。
【０００３】
また特許文献１において、そのアイボルトの取り付けに係わる作業を低減するべく、パネル表面の板材に形成された２個の貫通穴と、全体が略Ｕ字状をなし、両端が前記２個の貫通穴からパネル外側に突出するように通された支持部材と、その支持部材の一端に設けられた落下防止治具と、前記支持部材の他端に設けられた抜け止め部材を備えたことを特徴とするパネル落下防止治具取付構造が開示されている。
【０００４】
【特許文献１】特開２００２−６１１２３号公報
【発明の開示】
【発明が解決しようとする課題】
【０００５】
しかしながら、従来の機構や特許文献１に記載の如き構造では、アイボルトや落下防止治具に落下防止用索条を挿通させる精細な作業が必要があり、防音壁の施工現場における作業として煩雑なものとなり、また作業時に落下防止用索条の挿通をし損なうことでその機能を果たし得なくなる恐れもあった。
【０００６】
本発明は上記の如き課題に鑑みてなされたものであり、取り付けに係わる作業が簡便で、作業時に取り付けし損なう恐れのない防音パネルの落下防止装置及び防音パネルを提供せんとするものである。
【課題を解決するための手段】
【０００７】
上記課題を解決するため、本発明は以下のような構成としている。すなわち、本発明に係わる防音パネルの落下防止装置は、道路や鉄道等の側縁に沿って複数の支柱を立設し、該支柱間に防音パネルを取り付けて形成された防音壁において、支柱を挟んで相隣る前記防音パネルの前面からそれぞれ突設させたボルトと、前記支柱を跨いで該ボルト間に該ボルトを用いて取り付けられた支持金具とを備えることを特徴とするものである。
【０００８】
また本発明に係わる防音パネルは、道路や鉄道等の側縁に沿って立設された複数の支柱間に取り付けられ、支柱を挟んで相隣る防音パネルであって、前面からそれぞれ突設させたボルトと、前記支柱を跨いで該ボルト間に該ボルトを用いて取り付けられた支持金具とを備えた落下防止装置を備えることを特徴とするものである。
【発明の効果】
【０００９】
請求項１に記載の本発明に係わる防音パネルの落下防止装置によれば、防音パネルの前面から突設されたボルトに支持金具を取り付けることで簡便な作業により形成することができ、また防音壁の前面にボルトが突設され、且つ支持金具が支柱を跨いでいることで、支持金具の取り付け忘れがあれば即座に視認でき、作業時に取り付けし損なう恐れをなくすることができる。
【００１０】
また請求項２に記載の本発明に係わる落下防止装置を備えた防音パネルによれば、支柱を挟んで相隣る防音パネルの内、一方の防音パネルが外れても支持金具により他方の防音パネルによって支持することができ、仮に両方の防音パネルが外れても支持金具が支柱を跨いで設けられていることで、少なくとも一方への落下を防ぐようにでき、被害を最小限に留めることができるものとなる。
【発明を実施するための最良の形態】
【００１１】
本発明に係わる最良の実施の形態について、図面に基づき以下に具体的に説明する。
図１は、本発明に係わる落下防止装置を備えた防音パネルの、実施の一形態を示すもので、イ）は防音パネルを用いて形成された防音壁の正面図、ロ）は落下防止装置の詳細を示す上断面図である。まずイ）において防音壁Ｎは、間隔をおいて立設された複数の支柱３０間に防音パネル２０を取り付けて形成されている。防音パネル２０は透明な面板２０１の周囲に上下横枠材２０２及び左右縦枠材（図示せず）を組み付けて形成されたものであり、上下方向に上下横枠材２０２を繋ぎ且つ面板２０１を保持する中間支持材２０３が取り付けられたものである。防音パネル２０に上下横枠材２０２には、支柱３０を挟んで相隣る防音パネル２０間にボルト・ナット１及び支持金具２からなる落下防止装置１０が備えられている。
【００１２】
次にロ）において、支柱３０はＨ型鋼からなるものであり、前後のフランジ３０１間に両側から防音パネル２０Ａ及び２０Ｂの左右端が挿入され、フランジ３０１と防音パネル２０との間に係止バネＳが挿入されて支柱３０に防音パネル２０が固定されている。係止バネＳは支柱３０のフランジ３０１にバネ体Ｓ１がボルト・ナットＢ２により取り付けられ、フランジ３０１間へ防音パネル２０が挿入された後にボルトＳ２を締め込んでゆくことでバネ体Ｓ１の反発力が強められてゆくものである。支柱を挟んで相隣る防音パネル２０Ａ及び２０Ｂの前面側には、それぞれボルト１１が突設され、支柱３０を跨いだ状態で支持金具２の両端付近にボルト１１が挿通され、ナット１２が螺着されることで相隣る防音パネル２０Ａ及び２０Ｂに支持金具２が取り付けられる。
【００１３】
図２は、支持金具２の一例を示す説明図である。支持金具２は、支柱３０や係止バネＳが占める空間を避けることができるよう、前面に向かって凸字状の形状となされ、両端付近にはボルト１１が挿通される長孔のボルト孔２１が穿設されている。支持金具２を形成する材料は特に限定されるものではないが、防音パネル２０を支持するにおいて強度が高く、また靱性の高い金属材料を用いるのが好ましく、強度の高いステンレスや構造用の鉄鋼等の平板を曲げ加工したものを好適に用いることができる。
【００１４】
かかる落下防止装置を用いることで、図３に示す如く支柱３０のフランジ３０１間から防音パネル２０の左右端が外れても防音パネル２０の脱落を防止することができる。イ）において、一方の防音パネル２０Ｂが支柱３０のフランジ３０１間から外れても、他方の防音パネル２０Ａにより支持され、またロ）において支柱３０の両側の防音パネル２０Ａ及び２０Ｂの両方が外れた場合でも、支持金具２が支柱３０を跨いで設けられていることで、例えば図中の方向αが民地である場合には、少なくとも民地側への落下を防ぐことができる。
【００１５】
防音パネル２０の前面からボルト１１を突設させるにおいて、ボルト１１を溶接等により取り付けたり、貫通孔を穿設して背面側から挿通させたりしてもよいが、ワンサイドボルトを用いることで下孔を穿設するのみで容易にボルト１１を突設させることができ、また既に設置されている防音パネル２０に対しても適用するのが容易である。ワンサイドボルトを用いたボルト１１の突設の一例を図４に示すが、ワンサイドボルトＫは、ボルト１１と一体であるねじ頭部Ｋ１、拡張部Ｋ２、押さえ部Ｋ３及び緩み止めナットＫ４からなり、押さえ部Ｋ３と緩み止めナットＫ４は固着され、ボルト１１は緩み止めナットＫ４に螺着されている。
【００１６】
かかるワンサイドボルトＫを図１に示した防音パネル２０に固定するには、まず防音パネル２０の上下横枠材２０２に下孔Ｈを穿設し、ねじ頭部Ｋ１及び拡張部Ｋ２を下孔Ｈに挿通させる。次にねじ頭部Ｋ１と一体となされたボルト１１が矢印Ｙ１の方向に突出されるようにねじ回してゆくと、切れ込みの入った拡張部Ｋ２が上下横枠材２０２内で拡張され、拡張部Ｋ２と押さえ部Ｋ３との間に上下横枠材２０２が挟持されることで、ボルト１１が防音パネル２０の前面に突設される。そのボルト１１にナット１２を螺着して支持金具２を取り付けることで、防音パネル２０が既設のものであっても容易に落下防止装置１０を設けることができる。
【図面の簡単な説明】
【００１７】
【図１】本発明に係わる落下防止装置を備えた防音パネルの、実施の一形態を示す説明図である。
【図２】支持金具の一例を示す説明図である。
【図３】本発明に係わる落下防止装置を備えた防音パネルの、支柱からの脱落状態を示す上面図である。
【図４】ワンサイドボルトを用いた防音パネルの前面からのボルトの突設方法を示す断面図である。
【符号の説明】
【００１８】
１１  ボルト
２    支持金具
１０  落下防止装置
２０  防音パネル
３０  支柱
【図１】
2005090169.tif 000002
【図２】
2005090169.tif 000003
【図３】
2005090169.tif 000004
【図４】
2005090169.tif 000005